(57)【要約】【解決手段】折り畳みコンテナーの組み合わせモジュールにおいて、大箱折り畳みコンテナーＣｂの底部１の長辺側土手部１ａを、短辺側土手部１ｂより高く構成したものである。【効果】大箱折り畳みコンテナーの底部の長辺側土手部が、短辺側土手部より高く構成されているので、大箱折り畳みコンテナーの底部の強度や剛性を向上することができ、従って、大箱折り畳みコンテナーが、負荷やひねりにより、変形したり、損傷するようなことを防止することができる。【選択図】図１
2004331198.tif 000002
【特許請求の範囲】
【請求項１】
折り畳みコンテナーの組み合わせモジュールにおいて、大箱折り畳みコンテナーの底部の長辺側土手部が、短辺側土手部より高く構成されていることを特徴とする折り畳みコンテナーの組み合わせモジュール。
【発明の詳細な説明】
【０００１】
【発明の属する技術分野】
本発明は、底部と、底部の長辺側土手部にヒンジ連結された長側壁と、底部の短辺側土手部にヒンジ連結された短側壁とからなり、長側壁及び短側壁を、底部に重なるように折り畳むことができる大箱折り畳みコンテナーと、大箱折り畳みコンテナーの底部の略半分の大きさを有する底部と、底部の長辺側土手部にヒンジ連結された、大箱折り畳みコンテナーの短側壁と略同じ大きさを有する長側壁と、底部の短辺側土手部にヒンジ連結された、大箱折り畳みコンテナーの長側壁の略半分の大きさを有する短側壁とからなり、長側壁及び短側壁を、底部に重なるように折り畳むことができる小箱折り畳みコンテナーとの組み合わせモジュールに関するものである。
【０００２】
【従来の技術】
従来，折り畳みコンテナーの組み合わせモジュールを構成する大箱折り畳みコンテナーの底部の長辺側土手部が、短辺側土手部より低く形成されている折り畳みコンテナーの組み合わせモジュールが知られている（例えば、特開２００２−２６９６号公報）。
【０００３】
【発明が解決しようとする課題】
従来の折り畳みコンテナーの組み合わせモジュールを構成する大箱折り畳みコンテナーの底部の長辺側土手部が、短側壁がヒンジ連結されている短辺側土手部より低く形成されているために、大箱折り畳みコンテナーの底部の強度や剛性が小さく、従って、大箱折り畳みコンテナーが、負荷やひねりにより、変形し易いという問題があった。このような問題は、大箱折り畳みコンテナーの上に、小箱折り畳みコンテナーを積み重ねた場合に、特に、大きな問題となる。
【０００４】
本発明の目的は、上述した従来の折り畳みコンテナーの組み合わせモジュールが有する課題を解決することにある。
【０００５】
【課題を解決するための手段】
本発明は、上述した目的を達成するために、折り畳みコンテナーの組み合わせモジュールにおいて、大箱折り畳みコンテナーの底部の長辺側土手部を、短辺側土手部より高く構成したものである。
【０００６】
【実施例】
以下に、本発明の実施例について説明するが、本発明の趣旨を越えない限り何ら、本実施例に限定されるものでない。
【０００７】
先ず最初に、図１〜図５を用いて、折り畳みコンテナーの組み合わせモジュールを構成する大箱折り畳みコンテナーＣｂについて説明する。
【０００８】
１は、平面形状が長方形状の底部であり、底部１の相対する長辺側土手部１ａには、適当なヒンジ部材を介して長側壁２がヒンジ連結されており、また、底部１の相対する短辺側土手部１ｂには、同じくヒンジ部材を介して短側壁３がヒンジ連結されている。長辺側土手部１ａは、短辺側土手部１ｂより高く構成されており、底部１と長側壁２とのヒンジ連結部は、底部１と短側壁３とのヒンジ連結部より高い位置にある。
【０００９】
図１に示されているように、箱型に組み立てられた状態の大箱折り畳みコンテナーＣｂを折り畳むには、先ず最初に、短側壁３を大箱折り畳みコンテナーＣｂの内側に倒して、図２に示されているように、底部１の上に重ねる。次いで、同じく、長側壁２を大箱折り畳みコンテナーＣｂの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を略垂直に立て、次いで、短側壁３を略垂直に立てて、大箱折り畳みコンテナーＣｂを箱型に組み立てる。
【００１０】
次に、図３〜図５を用いて、底部１について説明する。
【００１１】
底板１ｃの裏面には、長辺側土手部１ａに略平行な複数のリブ１ｄ１及び短辺側土手部１ｂに略平行で、上記リブ１ｄ１と交差する複数のリブ１ｄ２を垂下するとともに、周囲を周辺枠１ｄ３で囲むことにより、リブ１ｄ１と１ｄ２の下端及び周辺枠１ｄ３の下端により形成された下面が、短辺側土手部１ｂ及び長辺側土手部１ａの下端より、下方に位置する底部嵌合部１ｄが形成されている。
【００１２】
本実施例においては、底部嵌合部１ｄは、長辺側土手部１ａに沿った中央部において、短辺側土手部１ｂに平行な嵌合溝４により、２つの同じ形状の副嵌合部１ｄ’に２分されている。本実施例においては、底部嵌合部１ｄが、嵌合溝４を挟んで配置された、２つの副嵌合部１ｄ’により構成されているので、周辺枠１ｄ３も、各副嵌合部１ｄ’を構成する交差するリブ１ｄ１、１ｄ２を、それぞれ囲むように構成されている。底部嵌合部１ｄの４つの角部領域、換言すれば、副嵌合部１ｄ’の底部１の角部１ｅ側の角部領域には、底部１の角部１ｅ方向に延在する張出部１ｆが形成されている。
【００１３】
張出部１ｆは、長辺側土手部１ａに平行な長辺側壁部１ｆ１と短辺側土手部１ｂに平行な短辺側壁部１ｆ２とを有しており、また、長辺側壁部１ｆ１は、底部嵌合部１ｄ（副嵌合部１ｄ’）を形成する周辺枠１ｄ３方向に延在する傾斜部１ｆ３を介して、長辺側土手部１ａ側に位置する周辺枠１ｄ３に連結されており、同様に、短辺側壁部１ｆ２は、底部嵌合部１ｄ（副嵌合部１ｄ’）を形成する周辺枠１ｄ３方向に延在する傾斜部１ｆ４を介して、短辺側土手部１ｂ側に位置する周辺枠１ｄ３に連結されている。なお、長辺側壁部１ｆ１、短辺側壁部１ｆ２及び傾斜部１ｆ３、１ｆ４により囲まれた空間にも、上述したリブ１ｄ１、リブ１ｄ２が形成されている。
【００１４】
底部１の長辺側土手部１ａの両端部には、平面形状が略Ｌ状の角部ブロック１ｇが形成されており、角部ブロック１ｇには、内側段部１ｇ１が形成されている。折り畳まれた状態の大箱折り畳みコンテナーＣｂ同士を段積みした際には、上に位置する大箱折り畳みコンテナーＣｂの底部嵌合部１ｄの張出部１ｆが、下に位置する大箱折り畳みコンテナーＣｂの底部１に形成された角部ブロック１ｇの内側段部１ｇ１に嵌合されるように構成されている。
【００１５】
短側壁３の外壁面（大箱折り畳みコンテナーＣｂを箱型に組みたてた際に、外側に位置する面）の上部角部領域には、縦方向に延在する係合凹部３ａが形成されており、係合凹部３ａには、複数個の嵌合突起３ａ１が形成されている。また、短側壁３の内壁面（大箱折り畳みコンテナーＣｂを箱型に組みたてた際に、内側に位置する面）３’の上部角部領域には、横長の嵌合凹部３ｂが形成されており、嵌合凹部３ｂは、底面３ｂ１と、短側壁３の中央部側に形成された傾斜面３ｂ２と、奥壁３ｂ３とにより形成されている。嵌合凹部３ｂは、上部と、内側と、傾斜面３ｂ２と反対側の端部が開放されている。
【００１６】
長側壁２の垂直端の上部からは、短側壁３方向に延在する係合枠２ａが形成されており、係合枠２ａには、上述した短側壁３の係合凹部３ａに突設された嵌合突起３ａ１が嵌合可能な透孔２ａ１が穿設されている。また、長側壁２の垂直端の上部に形成された係合枠２ａは、大箱折り畳みコンテナーＣｂを箱型に組みたてた際に、短側壁３の上部角部領域に形成された係合凹部３ａに入り込むとともに、短側壁３の係合凹部３ａに突設された嵌合突起３ａ１が、長側壁２の係合枠２ａに穿設された透孔２ａ１に嵌入し、箱型に組み立てられた大箱折り畳みコンテナーＣｂが、簡単には、底部１方向に倒れないように構成されている。
【００１７】
また、長側壁２の係合枠２ａ側の内壁面（大箱折り畳みコンテナーＣｂを箱型に組みたてた際に、内側に位置する面）２’の上部角部領域には、横長の嵌合凹部２ｂが形成されており、嵌合凹部２ｂは、底面２ｂ１と、長側壁２の中央部側に形成された傾斜面２ｂ２と、係合枠２ａの内壁面２ａ２とにより形成されており、上部と内側が開放されている。
【００１８】
大箱折り畳みコンテナーＣｂを箱型に組みたてた際には、短側壁３の内壁面３’の上部角部領域に形成された横長の嵌合凹部３ｂと、長側壁２の係合枠２ａ側の内壁面２’の上部角部領域に形成された横長の嵌合凹部２ｂとにより、箱型に組み立てられた折り畳みコンテナーの内部隅部には、平面形状が、略Ｌ字状の張出部嵌合凹部５が形成されている。
【００１９】
箱型に組み立てられた大箱折り畳みコンテナーＣｂを、上下方向に段積みした際には、上に位置する大箱折り畳みコンテナーＣｂの底部１の底部嵌合部１ｄの張出部１ｆが、下に位置する大箱折り畳みコンテナーＣｂの短側壁３の内壁面３’の上部角部領域に形成された横長の嵌合凹部３ｂと長側壁２の係合枠２ａ側の内壁面２’の上部角部領域に形成された横長の嵌合凹部２ｂとにより形成された張出部嵌合凹部５に嵌合されるとともに、上に位置する大箱折り畳みコンテナーＣｂの底部嵌合部１ｄの周囲に位置する底部１の底板１ｃの裏面が、下に位置する大箱折り畳みコンテナーＣｂの長側壁２の上面２”及び短側壁３の上面３”に載置されるように構成されている。
【００２０】
また、上述したように、底部１の底部嵌合部１ｄの角部に、張出部１ｆを形成したので、大箱折り畳みコンテナーＣｂを安定した状態で、床等に載置することができるとともに、底部１の角部が、上方からの負荷により、変形したり、座屈現象を起こすようなことを防止することができる。
【００２１】
更に、折り畳まれた状態の大箱折り畳みコンテナーＣｂ同士を段積みした際には、上に位置する大箱折り畳みコンテナーＣｂの底部嵌合部１ｄの張出部１ｆが、下に位置する大箱折り畳みコンテナーＣｂの底部１に形成された角部ブロック１ｇの内側段部１ｇ１に嵌合されるように構成されているので、従って、折り畳まれた状態の大箱折り畳みコンテナーＣｂの水平方向の移動も制限され、折り畳まれた状態の大箱折り畳みコンテナーＣｂを、安定した状態で段積みすることができる。
【００２２】
次に、図６〜図９を用いて、小箱折り畳みコンテナーＣｓについて説明するが、上述した大箱折り畳みコンテナーＣｂより小型に形成されている以外は、実質的に、大箱折り畳みコンテナーＣｂと同一構造を有しているので、その詳細な説明は省略する。なお、大箱折り畳みコンテナーＣｂの構成部材に対応する小箱折り畳みコンテナーＣｓの構成部材には、大箱折り畳みコンテナーＣｂの構成部材の算用数字に、０（零）を付加した符号が使用されている。
【００２３】
小箱折り畳みコンテナーＣｓも、平面形状が長方形状の底部１０と、底部１０の相対する長辺側土手部１０ａにヒンジ連結された長側壁２０と、底部１０の相対する短辺側土手部１０ｂにヒンジ連結された短側壁３０とにより構成されており、長辺側土手部１０ａは、短辺側土手部１０ｂより高く形成されている。
【００２４】
小箱折り畳みコンテナーＣｓの底部１０は、大箱折り畳みコンテナーＣｂの底部１を、短辺側土手部１ｂに沿って２等分した大きさと略同じ大きさを有しており、また、小箱折り畳みコンテナーＣｓの長側壁２０は、大箱折り畳みコンテナーＣｂの短側壁３と略同じ大きさを有しており、更に、小箱折り畳みコンテナーＣｓの短側壁３０は、大箱折り畳みコンテナーＣｂの長側壁２を、長側壁２の垂直辺に沿って２等分した大きさと略同じ大きさを有している。
【００２５】
大箱折り畳みコンテナーＣｂの底部１と同様に、小箱折り畳みコンテナーＣｓの底部１０の裏面にも、角部に張出部１０ｆを有する底部嵌合部１０ｄが形成されている。また、底部１０の長辺側土手部１０ａの両端部には、内側段部１０ｇ１を有する角部ブロック１０ｇが形成されている。
【００２６】
長側壁２０には、長側壁２０の垂直端の上部から、短側壁３０方向に延在する、透孔２０ａ１が穿設された係合枠２０ａが形成されており、長側壁２０の係合枠２０ａ側の内壁面２０’の上部角部領域には、横長の嵌合凹部２０ｂが形成されている。
【００２７】
短側壁３０には、短側壁３０の外壁面の上部角部領域には、複数個の嵌合突起３０ａ１が突設された係合凹部３０ａが形成されており、短側壁３の内壁面３０’の上部角部領域には、横長の嵌合凹部３０ｂが形成されている。
【００２８】
上述した小箱折り畳みコンテナーＣｓも、大箱折り畳みコンテナーＣｂと同様に、図６に示されている箱型に組み立てられた状態の小箱折り畳みコンテナーＣｓの短側壁３０を、図７に示されているように、小箱折り畳みコンテナーＣｓの内側に倒して底部１の上に重ね、次いで、長側壁２０を小箱折り畳みコンテナーＣｓの内側に倒して、図８に示されているように、底部１０及び短側壁３０の上に重ねることにより、折り畳むことができる。
【００２９】
また、図１０に示されているように、箱型に組み立てられた大箱折り畳みコンテナーＣｂの上に、同じく箱型に組み立てられた２個の小箱折り畳みコンテナーＣｓを、小箱折り畳みコンテナーＣｓの短側壁３０が、大箱折り畳みコンテナーＣｂの長側壁２側に位置し、また、小箱折り畳みコンテナーＣｓの長側壁２０が、大箱折り畳みコンテナーＣｂの欄側壁３側に位置するように段積みすることにより、大箱折り畳みコンテナーＣｂの上に、２個の小箱折り畳みコンテナーＣｓを段積みすることができる。このように、箱型に組み立てられた大箱折り畳みコンテナーＣｂの上に、同じく箱型に組み立てられた２個の小箱折り畳みコンテナーＣｓを載置した際に、上に位置する小箱折り畳みコンテナーＣｓの底部１０の裏面に形成された底部嵌合部１０ｄの張出部１０ｆが嵌合するように、大箱折り畳みコンテナーＣｂの長側壁２の上面２”の中央部には、小箱折り畳みコンテナーＣｓの底部１０の裏面に形成された底部嵌合部１０ｄの張出部１０ｆが嵌合可能な上部と内側が開放された凹部２ｃが形成されている。
【００３０】
同様に、図１１に示されているように、長側壁２０が接触するように配置された２個の小箱折り畳みコンテナーＣｓの上に、大箱折り畳みコンテナーＣｂを載置することもできる。この場合には、下に位置する２個の小箱折り畳みコンテナーＣｓの互いに並設された長側壁２０の上部が、上に位置する大箱折り畳みコンテナーＣｂの底部１の副嵌合部１ｄ’間に形成された嵌合溝４に嵌合されるように構成されている。
【００３１】
上述したように、大箱折り畳みコンテナーＣｂと小箱折り畳みコンテナーＣｓとの組み合わせモジュールにおいて、大箱折り畳みコンテナーＣｂの底部１の長辺側土手部１ａが、短辺側土手部１ｂより高く構成されているので、大箱折り畳みコンテナーの底部１の強度や剛性を向上することができ、従って、大箱折り畳みコンテナーＣｂが、負荷やひねりにより、変形したり、損傷するようなことを防止することができる。
【００３２】
また、大箱折り畳みコンテナーＣｂの底部１の長辺側土手部１ａの両端部に形成された角部ブロック１ｇが、長辺側土手部１ａの他の部分、換言すれば、角部ブロック１ｇ間に位置する部分より、上方に突出することなく、長辺側土手部１ａの上端を、角部ブロック１ｇを含め、略一直線状の面一に形成することが好ましく、このように構成することにより、更に、大箱折り畳みコンテナーＣｂが、負荷やひねりにより、変形したり、損傷するようなことを防止することができる。
【００３３】
なお、上述した実施例には、大箱折り畳みコンテナーＣｂに、２個の小箱折り畳みコンテナーＣｓが積み重ねられた例が示されているが、大箱折り畳みコンテナーＣｂに対する小箱折り畳みコンテナーＣｓの大きさを、適宜、設定することにより、大箱折り畳みコンテナーＣｂに、３個以上の小箱折り畳みコンテナーＣｓを積み重ねることもできる。
【００３４】
【発明の効果】
本発明は、以上説明した構成を有しているので、以下に記載する効果を奏するものである。
【００３５】
大箱折り畳みコンテナーの底部の長辺側土手部が、短辺側土手部より高く構成されているので、大箱折り畳みコンテナーの底部の強度や剛性を向上することができ、従って、大箱折り畳みコンテナーが、負荷やひねりにより、変形したり、損傷するようなことを防止することができる。
【図面の簡単な説明】
【図１】図１は、本発明の折り畳みコンテナーの組み合わせモジュールを構成する大箱折り畳みコンテナーが箱型に組み立てられた状態の斜視図である。
【図２】図２は、図１に示されている大箱折り畳みコンテナーの組み立て途中或いは折り畳み途中の斜視図である。
【図３】図３は、図１に示されている大箱折り畳みコンテナーが折り畳まれた状態の斜視図である。
【図４】図４は、図１に示されている大箱折り畳みコンテナーの底部の裏面斜視図である。
【図５】図５は、図１に示されている大箱折り畳みコンテナーの底部の部分拡大裏面斜視図である。
【図６】図６は、本発明の折り畳みコンテナーの組み合わせモジュールを構成する小箱折り畳みコンテナーが箱型に組み立てられた状態の斜視図である。
【図７】図７は、図６に示されている小箱折り畳みコンテナーの組み立て途中或いは折り畳み途中の斜視図である。
【図８】図８は、図６に示されている小箱折り畳みコンテナーが折り畳まれた状態の斜視図である。
【図９】図９は、図６に示されている小箱折り畳みコンテナーの底部の裏面斜視図である。
【図１０】図１０は、本発明の折り畳みコンテナーの組み合わせモジュールを構成する箱型状態の大箱折り畳みコンテナーに、箱型状態の小箱折り畳みコンテナーを積み重ねた状態の斜視図である。
【図１１】図１１は、本発明の折り畳みコンテナーの組み合わせモジュールを構成する箱型状態の小箱折り畳みコンテナーに、箱型状態の大箱折り畳みコンテナーを積み重ねた状態の斜視図である。
【符号の説明】
Ｃｂ・・・・・・・大箱折り畳みコンテナー
Ｃｓ・・・・・・・小箱折り畳みコンテナー
１・・・・・・・・底部
１ａ・・・・・・・長辺側土手部
１ｂ・・・・・・・短辺側土手部
２・・・・・・・・長側壁
３・・・・・・・・短側壁
１０・・・・・・・底部
２０・・・・・・・長側壁
３０・・・・・・・短側壁
【図１】
2004331198.tif 000003
【図２】
2004331198.tif 000004
【図３】
2004331198.tif 000005
【図４】
2004331198.tif 000006
【図５】
2004331198.tif 000007
【図６】
2004331198.tif 000008
【図７】
2004331198.tif 000009
【図８】
2004331198.tif 000010
【図９】
2004331198.tif 000011
【図１０】
2004331198.tif 000012
【図１１】
2004331198.tif 000013